(57)【要約】端末のフィードバックにより基地局領域別に放送サービスデータストリームの伝送を調節することにより、基地局による有/無線資源の浪費を最小化するための装置及び方法を提供する。本発明は、放送サービスを支援する移動通信システムで、サービス基地局からの放送サービス途中で端末がサービス基地局の周辺基地局に放送サービスの開始を要求するための方法において、サービス基地局からサービス基地局の周辺基地局に対する構成情報、すなわちサービス基地局から周辺基地局へのハンドオフが可能であるかどうかを、そして周辺基地局で放送サービスを提供中であるかどうかを受信する過程と、周辺基地局へのハンドオフ時、構成情報により周辺基地局に放送サービス開始を要求する過程とを含むことを特徴とする。
2005518725.tif 000002
【特許請求の範囲】
【請求項１】
放送サービスを支援する移動通信システムで、サービス基地局からの放送サービス途中で端末が前記サービス基地局の周辺基地局に放送サービスの開始を要求するための方法において、 
前記サービス基地局から前記サービス基地局の周辺基地局に対する構成情報、すなわち前記サービス基地局から前記周辺基地局へのハンドオフが可能であるかどうかを、そして前記周辺基地局で放送サービスを提供中であるかどうかを受信する過程と、 
前記周辺基地局へのハンドオフ時、前記構成情報により前記周辺基地局に放送サービス開始を要求する過程とを含むことを特徴とする方法。 
【請求項２】
前記要求する過程は、 
前記サービス基地局からの放送サービス途中で新たな基地局にハンドオフを遂行する段階と、 
前記新たな基地局が前記サービス基地局の周辺基地局であれば、前記構成情報により前記周辺基地局で放送サービスを提供中であるかどうかを判断する段階と、 
前記周辺基地局で放送サービスを提供中でなければ、前記周辺基地局に放送サービスの開始を要求する過程とを含む請求項１記載の方法。 
【請求項３】
前記ハンドオフはアイドル状態のハンドオフである請求項２記載の方法。 
【請求項４】
前記サービス基地局及び前記周辺基地局は基地局制御器(ＢＳＣ)を含む請求項１記載の方法。
【請求項５】
前記サービス基地局及び前記周辺基地局は基地局送受信器(ＢＴＳ)を含む請求項１記載の方法。 
【請求項６】
放送サービスを支援する移動通信システムで放送サービスを提供していない基地局が端末の要求により放送サービスを開始するための方法において、 
ハンドオフにより前記基地局のサービス領域に進入した前記端末から放送サービスの開始を要求するメッセージを受信する過程と、 
前記要求に応答して放送サービスを提供するためのセッションを開けて物理チャンネルを割り当てる過程と、 
前記割り当てられた物理チャンネルを通じて放送サービスのための放送データを放送する過程とを含むことを特徴とする方法。 
【請求項７】
前記基地局は、放送サービス途中で前記基地局から周辺基地局へのハンドオフが可能であるかどうか、そして周辺基地局で放送サービスを提供中であるかどうかを示す構成情報を制御チャンネルを通じて該当するサービス領域内の端末に伝送する請求項６記載の方法。 
【請求項８】
前記ハンドオフはアイドル状態のハンドオフである請求項６記載の方法。 
【請求項９】
前記基地局は基地局制御器(ＢＳＣ)を含む請求項６記載の方法。
【請求項１０】
前記基地局は基地局送受信器(ＢＴＳ)を含む請求項６記載の方法。 
【請求項１１】
放送サービスを支援する移動通信システムで、サービス基地局からの放送サービス途中で端末が前記サービス基地局の周辺基地局に放送サービスの開始を要求するための装置において、
前記サービス基地局から前記サービス基地局の周辺基地局に対する構成情報、すなわち前記サービス基地局から前記周辺基地局へのハンドオフが可能であるかどうか、そして前記周辺基地局で放送サービスを提供中であるかどうかを含む第１メッセージを受信するメッセージ受信器と、 
前記構成情報により放送サービスを提供していない少なくとも一つの周辺基地局のＰＮオフセットを取り出す制御器と、 
前記取り出されたＰＮオフセットを貯蔵するメモリと、 
新たな基地局からのパイロット信号を探索し、前記探索されたパイロット信号のＰＮオフセットを判断する探索器と、 
前記探索器により判断されたＰＮオフセットが前記メモリに貯蔵されたＰＮオフセットと一致するとき、前記新たな基地局に放送サービスの開始を要求する第２メッセージを生成して伝送するメッセージ生成器とを含むことを特徴とする装置。 
【請求項１２】
前記第１メッセージはＢＳＰＭ(Broadcast Service Parameter Message)である請求項１１記載の装置。 
【請求項１３】
前記第２メッセージはＨＳＢＳ(High Speed Broadcast Service)登録メッセージである請求項１１記載の装置。 
【請求項１４】
前記サービス基地局及び前記周辺基地局は基地局制御器(ＢＳＣ)を含む請求項１１記載の装置。
【請求項１５】
前記サービス基地局及び前記周辺基地局は基地局送受信器(ＢＴＳ)を含む請求項１１記載の装置。  
【請求項１６】
放送サービスを支援する移動通信システムで放送サービスを提供していない基地局が端末の要求により放送サービスを開始するための装置において、 
ハンドオフにより前記基地局のサービス領域に進入した前記端末から放送サービスの開始を要求する第１メッセージを受信するメッセージ受信器と、 
前記第１メッセージに応答して放送サービスを提供するためのセッションを開けて物理チャンネルを割り当てる制御器と、
前記割り当てられた物理チャンネルを通じて放送サービスのための放送データを放送する送信器とを含むことを特徴とする装置。 
【請求項１７】
前記第１メッセージはＨＳＢＳ登録メッセージである請求項１６記載の装置。 
【請求項１８】
放送サービスの途中で前記基地局から周辺基地局へのハンドオフが可能であるかどうか、そして周辺基地局で放送サービスを提供中であるかどうかを示す構成情報を含む第２メッセージを生成して制御チャンネルを通じて該当するサービス領域内の端末に伝送するメッセージ生成器をさらに含む請求項１６記載の装置。 
【請求項１９】
前記第２メッセージはＢＳＰＭである請求項１８記載の装置。 
【請求項２０】
前記基地局は基地局制御器(ＢＳＣ)を含む請求項１６記載の装置。
【請求項２１】
前記基地局は基地局送受信器(ＢＴＳ)を含む請求項１６記載の装置。 
【請求項２２】
放送サービスを支援する移動通信システムでサービス基地局からの放送サービス途中で端末が前記サービス基地局の周辺基地局の放送サービス開始を要求するための方法において、 
前記サービス基地局から前記サービス基地局の周辺基地局に対する構成情報、すなわち前記構成情報は前記サービス基地局から前記周辺基地局へのハンドオフが可能であるかどうか、そして前記周辺基地局で放送サービスを提供中であるかどうかを受信する過程と、 
前記構成情報により前記周辺基地局のうち放送サービスを提供中でない基地局が存在するかどうかを判断する過程と、 
前記周辺基地局のうち放送サービスを提供中でない基地局が存在すれば、前記サービス基地局に前記周辺基地局の放送サービス開始を要求する過程とを含むことを特徴とする方法。 
【請求項２３】
前記サービス基地局及び前記周辺基地局は基地局制御器(ＢＳＣ)を含む請求項２２記載の方法。
【請求項２４】
前記サービス基地局及び前記周辺基地局は基地局送受信器(ＢＴＳ)を含む請求項２２記載の方法。 
【請求項２５】
放送サービスを支援する移動通信システムで、放送サービスを提供しているサービス基地局が端末の要求により周辺基地局に放送サービスの開始を要求するための方法において、 
前記端末から前記周辺基地局の放送サービスの開始を要求するメッセージを受信する過程と、 
前記要求に応答して前記周辺基地局に放送サービスのためのセッションをオープンすることを要求する過程と、 
前記周辺基地局で前記セッションオープン要求に対する応答を受信する過程とを含むことを特徴とする方法。 
【請求項２６】
前記サービス基地局は、放送サービス途中で前記サービス基地局から周辺基地局へのハンドオフが可能であるかどうか、そして周辺基地局で放送サービスを提供中であるかどうかを示す構成情報を制御チャンネルを通じて該当するサービス領域内の端末に伝送する請求項２５記載の方法。 
【請求項２７】
前記サービス基地局及び前記周辺基地局は基地局制御器(ＢＳＣ)を含む請求項２５記載の方法。
【請求項２８】
前記サービス基地局及び前記周辺基地局は基地局送受信器(ＢＴＳ)を含む請求項２５記載の方法。 
【請求項２９】
放送サービスを支援する移動通信システムで、放送サービスを提供していない基地局が端末に放送サービスを提供中のサービス基地局の要求により放送サービスを開始するための方法において、 
前記サービス基地局から放送サービスのためのセッションのオープンを要求するメッセージを受信する過程と、 
前記要求に応答して放送サービスを提供するためのセッションをオープンして物理チャンネルを割り当てられた後、前記メッセージに対する応答を前記サービス基地局に伝送する過程と、 
前記割り当てられた物理チャンネルを通じて放送サービスのための放送データを放送する過程とを含むことを特徴とする方法。 
【請求項３０】
前記基地局は、放送サービス途中で前記基地局から周辺基地局へのハンドオフが可能であるかどうか、そして周辺基地局で放送サービスを提供中であるかどうかを示す構成情報を制御チャンネルを通じて該当するサービス領域内の端末に伝送する請求項２９記載の方法。 
【請求項３１】
前記基地局は基地局制御器(ＢＳＣ)を含む請求項２９記載の方法。
【請求項３２】
前記基地局は基地局送受信器(ＢＴＳ)を含む請求項２９記載の方法。
【発明の詳細な説明】
【技術分野】
【０００１】
本発明は移動通信システムの放送サービス装置及び方法に関して、特に放送サービスを端末により開始するための装置及び方法に関するものである。 
【背景技術】
【０００２】
未来の通信環境は有線と無線の領域区分や地域や国家の区分を超越しただけ急変している。特に、ＩＭＴ-２０００(International Mobile Telecommunication 2000)などの未来通信環境は画像と音声はもちろん、使用者が必要とする多様な情報を実時間で、そして総合的に提供する環境で構築される傾向である。また、移動通信システムの発達はセル式電話(cellular phone)やＰＣＳ(Personal Communication System)などの移動端末(Mobile Station：ＭＳ)で単純に音声通信のみを遂行する次元から外れて文字情報の伝送はもちろん、無線で放送サービスを視聴することができる程度まで至っている。
【０００３】
現在、３ＧＰＰ２(3rd generation Partnership Project 2)では高速データ伝送のための移動通信システムで効率的な資源利用及び多様なサービス媒体のために放送サービス(Broadcast Service)を考慮している。通常、放送サービスは端末における逆方向フィードバック(feedback)情報なしに高速の順方向データを受信することにより遂行される。これは、概念上一般テレビジョン放送サービスに類似するといえる。
【０００４】
共通チャンネルの場合、セル境界まで同一の性能を保障するように設計する場合、過度なセル容量を消耗するようになる。このような問題に対応して現在まで論議された技術的な合議点は、パケットデータサービスのために提案された既存の専用チャンネル(Dedicate channel)の付加チャンネル(Supplemental channel)構造を一部修正して高速伝送を実現することである。この付加チャンネルは、使用者専用の長い符号マスク(long code mask)を使用する代わりに、共通の長い符号マスクを使用して放送サービスに利用される。そして、放送サービス途中端末のフィードバック情報が不要な自律ハンドオフ(Autonomous handoff)と追加符号化(Outer coding)を支援することにより、従来の共通チャンネル以上の性能を保障する。また、電力制御情報とフィードバック情報の逆方向伝送を除去することにより、専用の逆方向チャンネルとしての機能を除去し、それによる逆方向セル容量の消耗が発生しないようにして、概念的にはセル内に無限に端末を受容するようになる。このような方法で一定性能を保障しながらも消耗電力を減少させることができる。端末のための放送サービス手続きを説明すれば、端末は最初同調された周波数チャンネルを通じて放送サービスのためのオーバヘッド情報を受信するようになる。下記の<表１>は放送サービスのためのオーバヘッド情報を運搬するパラメータメッセージ(Broadcast Service  Parameter Message：ＢＳＰＭ)のフォーマットを示す。
【０００５】
【表１】
2005518725.tif 000003
【０００６】
上記の<表１>を参照してＢＳＰＭの主要情報フィールドを説明すれば、ＦＢＳＣＨ_ＦＲＥＱ(Forward Broadcast Supplemental Channel Frequency)フィールドは放送サービス用周波数を指定し、端末はＦＢＳＣＨ_ＦＲＥＱフィールドから各サービス用に別途指定された周波数を把握し、該当周波数に遷移する。 ＦＢＳＣＨ_ＣＯＤＥ_ＣＨＡＮフィールドは物理チャンネルの符号情報を示し、ＦＢＳＣＨ_ＲＡＴＥ フィールドは該当物理チャンネルの伝送率を示す。ＨＳＢＳ_ＩＤ(High Speed Broadcast Service Index)は端末と放送サービスサーバとの間にサービスの種類を識別するための情報で、ＦＢＳＣＨ_ＩＤは物理チャンネルのインデックスで、ＢＳＲ_ＩＤ(Broadcast service Reference Index)はサービス別論理的識別子である。ここで、端末はＨＳＢＳ_ＩＤフィールドとＦＢＳＣＨ_ＩＤフィールド、ＢＳＲ_ＩＤフィールドを組み合わせて論理的情報と物理チャンネルとの間のマッピングを確認することができる。すなわち、情報から該当物理チャンネルでいずれの放送サービスを提供するかが確認できる。 
【０００７】
特に、<表１>でＮＧＨＢＲ(Neighbor)に関連した情報フィールドは周辺基地局(base stations：すなわち、周辺セル)に対する周辺構成情報(neighbor configuration)を含んでいる。この周辺構成情報は周辺セルの個数(NUM_NEHBR)により周辺セルのＦＢＳＣＨで使用する符号(ＮＧＨＢＲ_ＰＮ, ＮＧＨＢＲ_ＦＢＳＣＨ_ＣＯＤＥ_ＣＨＡＮ, ＮＧＨＢＲ_ＦＢＳＣＨ_ＣＯＤＥ_ＣＨＡＮ_ＩＮＣＬ)と周波数(ＮＧＨＢＲ_ＦＢＳＣＨ_ＦＲＥＱ, ＮＧＨＢＲ_ＦＢＳＣＨ_ＦＲＥＱ_ＩＮＣＬ)などを含む。このように周辺基地局に対する周辺構成情報を端末に知らせると、端末は周辺構成情報を基にして自律ハンドオフを遂行し、該当周辺基地局からの信号を結合して受信性能を高めるようになる。 
【０００８】
以上に説明した従来技術において、従来の放送サービスは端末からのフィードバック情報を全然使用せず、所定組合(set)の基地局が同時に放送サービスストリームを伝送可能なようにするので、基地局による有/無線資源の無駄をもたらす。したがって、基地局で選択的に放送サービスを伝送できる方案が要求されており、また端末が現在放送サービスを提供しない基地局にハンドオフするとき、前記基地局に放送サービスの開始を要求可能なようにするための方案の必要性が求められた。 
【発明の開示】
【発明が解決しようとする課題】
【０００９】
したがって本発明の目的は、端末のフィードバックにより基地局領域別に放送サービスデータストリームの伝送を調節することにより、基地局による有/無線資源の浪費を最小化するための装置及び方法を提供することにある。 
【課題を解決するための手段】
【００１０】
上記の目的を達成するために本発明は、放送サービスを支援する移動通信システムで、サービス基地局からの放送サービス途中で端末が前記サービス基地局の周辺基地局に放送サービスの開始を要求するための方法において、前記サービス基地局から前記サービス基地局の周辺基地局に対する構成情報、すなわち前記サービス基地局から前記周辺基地局へのハンドオフが可能であるかどうかを、そして前記周辺基地局で放送サービスを提供中であるかどうかを受信する過程と、前記周辺基地局へのハンドオフ時、前記構成情報により前記周辺基地局に放送サービス開始を要求する過程とを含むことを特徴とする。
【００１１】
また本発明は、放送サービスを支援する移動通信システムで放送サービスを提供していない基地局が端末の要求により放送サービスを開始するための方法において、ハンドオフにより前記基地局のサービス領域に進入した前記端末から放送サービスの開始を要求するメッセージを受信する過程と、前記要求に応答して放送サービスを提供するためのセッションを開けて物理チャンネルを割り当てる過程と、前記割り当てられた物理チャンネルを通じて放送サービスのための放送データを放送する過程とを含むことを特徴とする。
【００１２】
さらに本発明は、放送サービスを支援する移動通信システムでサービス基地局からの放送サービス途中で端末が前記サービス基地局の周辺基地局の放送サービス開始を要求するための方法において、前記サービス基地局から前記サービス基地局の周辺基地局に対する構成情報、すなわち前記構成情報は前記サービス基地局から前記周辺基地局へのハンドオフが可能であるかどうか、そして前記周辺基地局で放送サービスを提供中であるかどうかを受信する過程と、前記構成情報により前記周辺基地局のうち放送サービスを提供中でない基地局が存在するかどうかを判断する過程と、前記周辺基地局のうち放送サービスを提供中でない基地局が存在すれば、前記サービス基地局に前記周辺基地局の放送サービス開始を要求する過程とを含むことを特徴とする。
【００１３】
本発明は、放送サービスを支援する移動通信システムで、放送サービスを提供しているサービス基地局が端末の要求により周辺基地局に放送サービスの開始を要求するための方法において、前記端末から前記周辺基地局の放送サービスの開始を要求するメッセージを受信する過程と、前記要求に応答して前記周辺基地局に放送サービスのためのセッションをオープンすることを要求する過程と、前記周辺基地局で前記セッションオープン要求に対する応答を受信する過程とを含むことを特徴とする。
【００１４】
また本発明は、放送サービスを支援する移動通信システムで、放送サービスを提供していない基地局が端末に放送サービスを提供中のサービス基地局の要求により放送サービスを開始するための方法において、前記サービス基地局から放送サービスのためのセッションのオープンを要求するメッセージを受信する過程と、前記要求に応答して放送サービスを提供するためのセッションをオープンして物理チャンネルを割り当てられた後、前記メッセージに対する応答を前記サービス基地局に伝送する過程と、前記割り当てられた物理チャンネルを通じて放送サービスのための放送データを放送する過程とを含むことを特徴とする。
【発明の効果】
【００１５】
本発明は、端末のフィードバックを通じて基地局(ＢＳＣまたはＢＴＳ)領域別に放送サービスデータストリームの伝送を調節することにより、有/無線資源の浪費を最小化することができる。また本発明は、端末が放送サービス環境メッセージ(ＢＳＰＭ)のＮＧＨＢＲ_ＨＳＢＳ_ＣＯＮＦＩＧを基準として、放送サービスを開始しない基地局に放送サービスの登録を要求して、該当基地局における放送サービスの伝送が可能なようにする。それにより、本発明は放送サービスの提供時に基地局(ＢＳＣまたはＢＴＳ)別に放送データの伝送時点を調節することにより、基地局の資源を効率的に利用することができる。 
【発明を実施するための最良の形態】
【００１６】
以下、本発明の望ましい実施形態を添付の図面を参照して詳細に説明する。下記の説明においては具体的な回路の構成素子などの多くの特定事項を示しているが、これは本発明のより全般的な理解のために提供されるだけ、これら特定事項なしにも本発明が実施可能であることは当該技術分野で通常の知識を有する者には自明であろう。そして、本発明において関連した公知機能または構成に対する具体的な説明が本発明の要旨を不明にすると判断された場合、その詳細な説明は省略する。 
【００１７】
以下に説明する本発明は、高速放送サービス(High Speed Broadcast Service: ＨＳＢＳ)のための周辺基地局(neighbor base stations)の構成情報(configuration)に対して周辺基地局が放送サービスのための伝送チャンネルを割り当てない場合、端末が放送サービスを登録して周辺基地局で放送サービスを開始するようにするものである。このような本発明は前述したＢＳＰＭ(Broadcast Service Parameter Message)のＮＧＨＢＲ_ＨＳＢＳ_ＣＯＮＦＩＧフィールドを利用してＢＳＰＭを伝送する基地局の周辺基地局に対する構成情報を端末に知らせる。下記の<表２>には本発明によって定められた周辺構成情報の意味と、それによりＢＳＰＭのＮＧＨＢＲ_ＨＳＢＳ_ＣＯＮＦＩＧフィールドに記録される３ビット値を示す。 
【００１８】
【表２】
2005518725.tif 000004
【００１９】
前記 <表２>で、本発明により利用される値は‘１００’と‘１０１’である。端末は‘１００’または‘１０１’に設定されたＮＧＨＢＲ_ＨＳＢＳ_ＣＯＮＦＩＧを有する周辺基地局にアイドル(Idle)ハンドオフする場合、前記周辺基地局に放送サービスの登録を遂行する。ＮＧＨＢＲ_ＨＳＢＳ_ＣＯＮＦＩＧ‘１００’は現在サービス基地局の領域で放送サービスの提供を受ける端末が該当周辺基地局の領域にハンドオフにより進入可能であるが(以下、“ハンドオフ可能”とする)、該当周辺基地局が現在放送サービスの提供を受けない場合を示す。ＮＧＨＢＲ_ＨＳＢＳ_ＣＯＮＦＩＧ‘１０１’は現在サービス基地局の領域で放送サービスの提供を受ける端末が該当周辺基地局の領域にハンドオフにより進入可能であり、前記該当周辺基地局が前記該当放送サービスを提供するための準備をする場合を示す。
【００２０】
すなわち、本願で周辺構成情報とは該当する周辺基地局へのハンドオフが可能であるかどうか及び該当周辺基地局で放送サービスを提供中であるかどうかを示す情報である。 
【００２１】
このＮＧＨＢＲ_ＨＳＢＳ_ＣＯＮＦＩＧの値‘１００’、‘１０１’は放送サービスシステムのセッション連結構成にしたがって異なるように使用されうる。ここで、放送サービスのセッションの開/閉とは、有線区間では放送サービスのための論理的/物理的資源の割当て可否を意味し、無線区間では放送サービスのための物理的符号チャンネルが設定されており、あるいは設定されていないことを意味する。 
【００２２】
基地局が一つの基地局制御器(Base Station Controller：ＢＳＣ)と複数の基地局送受信器(Base Transceiver Subsystems：ＢＴＳs)で構成され、基地局送受信器(ＢＴＳ)別に特定放送サービスのためのセッションの開/閉が可能な場合、ＮＧＨＢＲ_ＨＳＢＳ_ＣＯＮＦＩＧ‘１００’、’１０１がすべて使用可能である。すなわち、‘１００’は放送サービスが提供され、該当ＢＴＳへのハンドオフが可能であるが、該当ＢＴＳが現在放送サービスを提供しないことを示し、‘１０１’は放送サービスが提供されるが、該当ＢＴＳへの自律ソフトハンドオフが不可能であることを示す。ソフトハンドオフが可能な一定集合の基地局送受信器(ＢＴＳs)で放送サービスセッションを同時に開/閉するように構成された場合、ＮＧＨＢＲ_ＨＳＢＳ_ＣＯＮＦＩＧ‘１０１’のみが使用可能である。これは、自律ハンドオフが可能なすべての基地局送受信器(ＢＴＳｓ)が同時に放送サービスを始めるようになって‘１００’は発生しないためである。 
【００２３】
図１は、本発明により高速放送サービスを支援するための全体網の構成を示すものである。 
同図を参照すれば、放送サービスサーバ(Contents Server：ＣＳ)１４０は放送サービスのための画像及び 音声データ、すなわち放送データをインターネットプロトコル(Internet Protocol：ＩＰ)により圧縮されたパケット(ＩＰパケット)の形態で提供する。この放送データはＩＰを基にするインターネットなどのパケット通信ネットワークを通じてパケットデータサービスノード(Packet Data Service Nodes：ＰＤＳＮs)１３０を経てパケット制御(Packet Control Function：ＰＣＦ)ブロック１２０、１２１で放送される。パケット制御ブロック１２０、１２１は前記放送データを該当する基準(anchor)基地局制御器に伝送する。 
【００２４】
図１において、パケット制御ブロック１２０は放送データを連結された基準基地局制御器(ＢＳＣ)１１１に伝達する。すれば、基準基地局制御器１１１はＡ３/Ａ７と呼ばれる基地局制御器間のインタフェースを通じて放送データを、連結された(linked)他の基地局制御器１１０、１１２に伝達する。基地局制御器１１０、１１１、１１２に至る放送データは基地局制御器１１０、１１１、１１２の基地局送受信器(Base Transceiver Subsystems：ＢＴＳs)を経て無線を通じて放送(broadcasting)される。図１では基地局制御器の下位の基地局送受信器をそれぞれ該当する基地局制御器と同一のブロックで示し、本発明による構成情報は基地局送受信器のハンドオフの可能有無及び放送サービスの可否を示す。
【００２５】
これにより、基地局送受信器のサービス領域内で放送サービス中の端末１００は放送データを受信する。例えば、図１に示す太線は放送サービスサーバ１４０からＰＤＳＮ１３０を通じて基地局１１１、１２１に向ける放送データの流れを示すものである。 
【００２６】
図２は、本発明の一実施形態により高速放送サービスを支援する移動通信システムで端末のフィードバックにより新たな基地局制御器(ＢＳＣ)で放送サービスを開始するための手続きを示す。図２は、この端末が新たな基地局制御器で初めて放送サービスを受信するための手続きを説明する。また、ハンドオフが可能な所定組合の基地局送受信器(ＢＴＳs)で放送サービスのためのセッションを同時に開/閉するように構成された場合の動作について示す。ここで、一つの基地局制御器によって制御される基地局送受信器は自律ハンドオフが可能な同一集合内に含まれるといえる。ここでは、ＢＳＣ1が基準ＢＳＣの場合の動作を示すが、そうでない場合にも適用できる。 
【００２７】
図２を参照すれば、(ａ)過程でＰＣＦ(Packet Control Function Block)は上位ＰＤＳＮから受信した放送データを基準基地局制御器のＢＳＣ１に伝達する。このＢＳＣ1はＰＣＦから受けた放送データを連結された他の基地局制御器、ここではＢＳＣ２に伝達することを試す。しかし、ＢＳＣ２では放送サービスのセッションがオープンされていないので放送データの伝達を受けない。(ｂ)過程で、ＢＳＣ１はＰＣＦから受けた 放送デーをＢＴＳを通じて放送する。しかし、ＢＳＣ２では放送データを放送しない。図２で点線は該当伝送がなされないことを意味する。 
【００２８】
(ｃ)過程で、ＢＳＣ1は放送サービスに必要なオーバヘッド情報を伝送するために、その下位のＢＴＳにより呼出チャンネル(Paging channel)などを通じてオーバヘッドメッセージＢＳＰＭを該当するサービス領域内で放送サービス中の端末に伝達する。ここで、細線は放送データの伝送を示す太線と区分され、ＢＳＰＭが制御チャンネルの呼出チャンネルを通じて伝送されることを意味する。言及したように、ＢＳＰＭは放送サービスのために必要なパラメータと共にＮＧＨＢＲ_ＨＳＢＳ_ＣＯＮＦＩＧフィールド内に周辺ＢＴＳに対する構成情報を含んでいる。該当周辺ＢＴＳ領域で放送サービス中の端末が存在しないが、放送サービスの開始が可能な場合にはその周辺ＢＴＳのＮＧＨＢＲ_ＨＳＢＳ_ＣＯＮＦＩＧは‘１００’または‘１０１’に設定される。上記したように、‘１００’は放送サービスの提供及びハンドオフが可能であるが、現在放送サービスが提供されないことを意味し、‘１０１’は放送サービスが提供可能であるが、ハンドオフが不可能であることを意味する。 
【００２９】
アイドル状態の端末がＢＳＣ２の下位のＢＴＳ領域に移動することによりＢＳＣ２へのアイドル(ＩＤＬＥ)ハンドオフが起こる場合、端末はＢＳＣ２からも放送サービスの提供を受けることを希望する。したがって、(ｄ)過程で端末を希望する放送サービスの識別者のＨＳＢＳ_ＩＤを含むＨＳＢＳ登録(registration)
メッセージをＢＳＣ２に伝送し、このＢＳＣ２に対して放送サービスの登録を遂行する。これは、端末が既に受信したＢＳＰＭによりＢＳＣ２の下位のＢＴＳが現在放送サービスを提供しないが、放送サービスを開始できると、すなわちＮＧＨＢＲ_ＨＳＢＳ_ＣＯＮＦＩＧが‘１００’または‘１０１’と判断したためである。
【００３０】
(ｅ)過程で、端末からＨＳＢＳ登録メッセージを受信したＢＳＣ２はＢＳＣ１に接続を設定するためのＡ３-Ｓｅｔｕｐ-Ａ７メッセージを送る。(ｆ)過程で、ＢＳＣ１はＡ３-Ｓｅｔｕｐ-Ａ７メッセージに対する応答でＡ３-Ｃｏｎｎｅｃｔ-Ａ７  ＣｏｍｐｌｅｔｅメッセージをＢＳＣ２に伝送する。(ｇ)過程で、ＢＳＣ２は接続を通じてＢＳＣ１から放送サービスのためのセッション情報を受信すれば、自分の有/無線資源を点検して放送サービスセッションを開け、その下位のＢＴＳによって端末に新たなＢＳＰＭを伝送する。 
【００３１】
(ｈ)過程で、ＢＳＣ１はＰＣＦから受けた放送データを前記ＢＳＣ２に伝送する。(ｉ)過程で、ＢＳＣ２はＢＴＳを通じてＢＳＣ１と同一に放送サービスを提供する。これにより、端末は新たなＢＳＣ２の領域でも放送サービスの提供を受けるようになる。 
【００３２】
図３は、本発明の一実施形態により高速放送サービスを支援する移動通信システムで端末のフィードバックによって新たな基地局送受信器(ＢＴＳ)で放送サービスを開始するための手続きを示すものである。ここで、端末は新たな基地局送受信器のサービス領域で初めて放送サービスを受信する。図３は、図２とは異なってＢＴＳ別に放送サービスのためのセッションの開/閉が可能な場合の動作を示し、一つのＢＳＣ領域内のＢＴＳの動作を示す。 
【００３３】
図３を参照すれば、(ａ)過程と(ｂ)過程でＢＳＣは上位ＰＣＦから受信した放送データをＢＴＳ１とＢＴＳ２に伝達する。ここで、端末はＢＴＳ１とＢＴＳ２の重複されたサービス領域に存在するものとする。上記(ａ)過程に点線で示したように、ＢＴＳ２では現在放送サービスを提供するための物理チャンネルを設定していないので、放送データを端末に伝達しない。一方、(ｂ)過程に示したように、ＢＴＳ１は放送サービスを支援するために既にオープンしている物理チャンネルを通じて前記端末に放送データを伝達する。 
【００３４】
放送サービスの進行途中、(ｃ)過程でＢＴＳ１は呼出しチャンネル(Paging channel)などを通じてオーバヘッドメッセージのＢＳＰＭを端末に伝送する。ここで、細線はＢＳＰＭが制御チャンネルである呼出しチャンネルを通じて伝送されることを意味する。このＢＳＰＭは放送サービスの提供を受けるために必要な従来のパラメータと共にＮＧＨＢＲ_ＨＳＢＳ_ＣＯＮＦＩＧフィールド内に周辺ＢＴＳに対する構成情報を含んでいる。該当周辺ＢＴＳで放送サービスを提供しない場合、そのＮＧＨＢＲ_ＨＳＢＳ_ＣＯＮＦＩＧは‘１００’または‘１０１’に設定される。 
【００３５】
アイドル状態で、前記端末がＢＴＳ２の領域に移動するにしたがって、アイドルハンドオフが起こると、(ｄ)過程で端末は希望する放送サービスの識別子のＨＳＢＳ_ＩＤを含むＨＳＢＳ登録メッセージをＢＴＳ２にすぐ伝送してＢＴＳ２に対してＨＳＢＳ登録を遂行する。これは、ＢＴＳ２が現在放送サービスを提供しないが、放送サービスを開始できると、すなわちＮＧＨＢＲ_ＨＳＢＳ_ＣＯＮＦＩＧが‘１００’または‘１０１’であると判断したためである。 
【００３６】
(ｅ)過程で、ＨＳＢＳ登録メッセージを受信したＢＴＳ２はＢＳＣにＢＳＣとＢＴＳとの間にインタフェースのＡｂｉｓインタフェースを通じてＡｂｉｓ-Ｓｅｔｕｐメッセージを伝送する。(ｆ)過程で、ＢＳＣはＢＴＳ２に放送データを伝送するための資源が割り当てられることを示すためにＡｂｉｓ-Ｓｅｔｕｐメッセージに対する応答でＢＴＳ２にＡｂｉｓ-Ｃｏｎｎｅｃｔ_Ｃｏｍｐｌｅｔｅメッセージを伝送する。(ｇ)過程で、ＢＴＳ２は放送サービスのために物理チャンネルを新たに更新し、放送サービスのセッションを開けて端末に新たなＢＳＰＭを伝送する。ここで、新たなＢＳＰＭでＢＴＳ２に対するＮＧＨＢＲ_ＨＳＢＳ_ＣＯＮＦＩＧフィールドは放送サービス中であることを示す値に設定される。(ｈ)、(ｉ)過程でＢＴＳ２とＢＴＳ１は同一の放送サービスを端末に提供できるようになる。これにより、端末は新たなＢＴＳ２からも放送サービスの提供を受けるようになる。 
【００３７】
図４Ａは、本発明の一実施形態により高速放送サービスのための周辺構成情報(neighbor configuration)を受信した端末でアイドルハンドオフ時にＢＴＳに放送サービス登録を試す手続きを示すものである。
【００３８】
図４Ａを参照すれば、端末は段階４００で現在属する周波数を通じて放送サービス中のサービスＢＴＳからＢＳＰＭを受信し、このＢＳＰＭを通じて放送サービスのための周辺構成情報を確認する。端末は段階４１０で受信されたＢＳＰＭのＮＧＨＢＲ_ＨＳＢＳ_ＣＯＮＦＩＧフィールドが‘１００’または‘１０１’で記録された周辺ＢＴＳが存在するか、すなわち該当放送サービスセッションがオープンされていない周辺ＢＴＳが存在するかどうかを確認する。もし、ＮＧＨＢＲ_ＨＳＢＳ_ＣＯＮＦＩＧフィールドが‘１００’あるいは‘１０１’である少なくとも一つのＢＴＳが存在する場合、端末は段階４２０に進行して少なくとも一つのＢＴＳの情報(特に、ＰＮオフセット)を貯蔵し、段階４３０で新たなＰＮオフセットを有するパイロット信号を探索(Search)する。もし、段階４１０でＮＧＨＢＲ_ＨＳＢＳ_ＣＯＮＦＩＧフィールドが‘１００’及び‘１０１’の周辺ＢＴＳが存在しない場合、端末は継続してＢＳＰＭを受信するために段階４００に戻る。 
【００３９】
この探索結果、新たなＰＮオフセットを有するパイロット信号を感知した場合、すなわちアイドルハンドオフが起こった場合、端末は段階４４０で感知されたＰＮオフセットが前記貯蔵されたＰＮオフセットと一致するかどうかを確認する。もし、一致しないと、端末は継続してＢＳＰＭを受信するために段階４００に戻る。その反面、感知されたＰＮオフセットが貯蔵されたＰＮオフセットと一致する場合、その端末は段階４５０で放送サービスの開始を要求するためのＨＳＢＳ登録メッセージを生成し、段階４６０で感知されたＰＮオフセットを有するパイロット信号を送出するＢＴＳに前記ＨＳＢＳ登録メッセージを伝送する。
【００４０】
図４Ｂは、本発明の一実施形態により基地局送受信器(ＢＴＳ)で端末によって試された放送サービス登録を処理するための手続きを示すものである。ここで、ＢＴＳは現在放送サービスを提供しない。図４Ｂを参照すれば、ＢＴＳは段階４７０で端末から伝送されたＨＳＢＳ登録メッセージを受信すれば、端末が放送サービスの開始を要求することを認識する。すると、ＢＴＳは段階４８０で該当放送サービスセッションを開け、前記放送サービスを伝送するための物理的資源を割り当て、段階４９０で前記割り当てられた物理的資源を通じて前記端末に放送サービスを提供し始める。
【００４１】
図５Ａは、本発明の一実施形態による端末の装置を示すものである。 
図５Ａを参照すれば、メッセージ受信器５００は受信される信号を逆拡散及び復号して前記受信される信号に含まれる受信メッセージを復元した後、制御器５１０に伝達する。特に、メッセージ受信器５００で前記受信される信号でＢＳＰＭを復元した場合、この制御器５１０は受信されたＢＳＰＭに含まれているＮＧＨＢＲ_ＨＳＢＳ_ＣＯＮＦＩＧフィールドが‘１００’または‘１０１’の周辺ＢＴＳが存在するかどうかを確認する。もし、ＮＧＨＢＲ_ＨＳＢＳ_ＣＯＮＦＩＧフィールドが前記‘１００’または‘１０１’に設定された周辺ＢＴＳが存在する場合、制御器５１０は該当周辺ＢＴＳのＰＮオフセットをメモリ５２０に貯蔵する。前述したように、‘１００’または‘１０１’は該当周辺ＢＴＳが現在放送サービスを提供してはいないが、端末が放送サービスの開始を要求できることを示す。 
【００４２】
一方、探索器５３０は周辺のＢＴＳからのパイロット信号を探索してＰＮオフセットを獲得し、この獲得されたＰＮオフセットを制御器５１０に伝達する。その後、制御器５１０は探索器５３０によって得られたＰＮオフセットと一致するＰＮオフセットがメモリ５２０に貯蔵されているかどうかを確認する。もし、一致するＰＮオフセットが貯蔵されている場合、制御器５１０はメッセージ生成器５４０にＨＳＢＳ登録メッセージを生成するとの命令を行う。すると、このメッセージ生成器５４０はＨＳＢＳ登録メッセージを生成して前記一致するＰＮオフセットに該当するＢＴＳに伝送する。ここで、ＨＳＢＳ登録メッセージは放送サービスの開始を要求するメッセージであって、ＨＳＢＳ登録メッセージを受信したＢＴＳは放送サービスのための物理的資源を割り当てて前記端末に放送データを伝送し始める。 
【００４３】
図５Ｂは、本発明の一実施形態によるＢＴＳの装置を示すものである。ここで、ＢＴＳは現在放送サービスを提供していない。図５Ｂを参照すれば、メッセージ受信器５５０は受信される信号を逆拡散及び復号して前記受信される信号に含まれる受信メッセージを復元した後、制御器５６０に伝達する。特に、メッセージ受信器５５０が前記受信される信号でＨＳＢＳ登録メッセージを復元した場合、制御器５６０は端末から放送サービスの開始要求が受信されたことを確認し、放送サービスのためのセッションを開けて物理チャンネルを割り当てた後、メッセージ生成器５７０に放送サービスのためのオーバヘッド情報を含むＢＳＰＭの生成命令を受ける。すると、メッセージ生成器５７０は周辺ＢＴＳの放送サービスの提供有無によりＢＳＰＭで周辺ＢＴＳのＮＧＨＢＲ_ＨＳＢＳ_ＣＯＮＦＩＧフィールドを‘０１０’または‘０１１’に設定して端末に伝送する。その後、送信器５８０は上位システムから受信した放送データを前記割り当てられた物理チャンネルを通じて放送する。 
【００４４】
以上では、端末がアイドルハンドオフにより進入したＢＳＣまたはＢＴＳに放送サービスの開始を要求する実施形態について説明したが、後述する他の実施形態によれば、端末はサービスＢＳＣまたはサービスＢＴＳを通じてまだ進入しない周辺ＢＳＣまたは周辺ＢＴＳに放送サービスの開始を要求する。 
【００４５】
図６は、本発明の他の実施形態により高速放送サービスを支援する移動通信システムにおいて、端末のフィードバックによって周辺基地局制御器(ＢＳＣ)で放送サービスを開始するための手続きを示すものである。図６は図２とは異なって、最初ＢＳＣ１から放送サービスの提供を受ける途中、前記端末がＢＳＣ１でない異なる周辺基地局制御器の放送サービスセッションを開始することを要求する手続きを示す。ここでは、ＢＳＣ１が基準ＢＳＣの場合の動作を示すが、そうでない場合にも適用可能である。 
【００４６】
(ａ)過程で、ＰＣＦは上位ＰＤＳＮから受信した放送データを基準ＢＳＣの前記ＢＳＣ１に伝達する。このＢＳＣ１はＰＣＦから受信した放送データを連結された他の基地局制御器、ここではＢＳＣ２に伝達するように試す。しかし、ＢＳＣ２では放送サービスのセッションがオープンされていないので、放送データの伝達を受けない。(ｂ)過程でＢＳＣ１はＰＣＦから受信した放送データをその下位のＢＴＳを通じて放送する。しかし、ＢＳＣ２では前記放送データを放送することもできない。すなわち、図６で点線は該当伝送が行われないことを意味する。 
【００４７】
(ｃ)過程で、ＢＳＣ１はＢＴＳにより呼出しチャンネル(Paging channel)などを通じてオーバヘッド メッセージＢＳＰＭを該当するサービス領域内で放送サービス中の端末に伝達する。ここで、細線は ＢＳＰＭが制御チャンネルの前記呼出しチャンネルを通じて伝送されること意味する。このＢＳＰＭは 放送サービスのために必要な従来の情報フィールドと共にＮＧＨＢＲ_ＨＳＢＳ_ＣＯＮＦＩＧ フィールド内で周辺ＢＴＳに対する構成情報を含んでいる。ＢＳＰＭ内でＮＧＨＢＲ_ＨＳＢＳ_ＣＯＮＦＩＧフィールドが‘１００’または‘１０１’に設定された周辺ＢＴＳが存在する場合、(ｄ)過程で前記端末がＨＳＢＳ登録を要求するメッセージをＢＳＣ 1にすぐ伝送する。ここで、登録メッセージはＢＳＣ１の周辺基地局制御器に対して放送サービスの開始を要求する情報を含む。 
【００４８】
(ｅ)過程で、前記登録メッセージを受信したＢＳＣ１は周辺基地局制御器、ここではＢＳＣ２にＡ３-Ｓｅｔｕｐ-Ａ７メッセージを送って前記端末が放送サービスの開始を要求することを知らせる。(ｆ)過程でＢＳＣ２はＡ３-Ｓｅｔｕｐ-Ａ７メッセージに対する応答でＡ３-Ｃｏｎｎｅｃｔ-Ａ７ ＣｏｍｐｌｅｔｅメッセージをＢＳＣ１に伝送する。これら(ｅ)、(ｆ)過程によりＢＳＣ１とＢＳＣ２との間に接続が設定されると、ＢＳＣ２はこの接続を通じてＢＳＣ１から放送サービスのためのセッション情報を受信して自分の有/無線資源を点検した後、放送サービスセッションをオープンする。そして、(ｇ)過程でＢＳＣ１は端末に新たなＢＳＰＭを伝送する。ここで、この新たなＢＳＰＭ内でＢＳＣ２に対するＮＧＨＢＲ_ＨＳＢＳ_ＣＯＮＦＩＧフィールドは放送サービス中であることを示す値に更新される。 
【００４９】
(ｈ)過程でＢＳＣ２はＢＳＣ１を通じてＰＣＦから放送データの伝達を受ける。また、(ｉ)過程でＢＳＣ１もＢＳＣ２と同一の放送データを前記端末に伝送する。それにより、端末は周辺基地局制御器、ここではＢＳＣ２の領域でも放送サービスの提供を受けることができるようになる。 
【００５０】
図７は、本発明の他の実施形態により高速放送サービスを支援する移動通信システムで端末のフィードバックにより周辺基地局送受信器(ＢＴＳ)で放送サービスを開始するための手続きを示すものである。図７は図６とは異なって、ＢＴＳ別に放送サービスセッションのオン/オフが可能な場合を示すもので、一つのＢＳＣ制御下のＢＴＳの動作を示している。(ａ)過程と(ｂ)過程で、ＢＳＣは上位ＰＣＦから受信した放送データをその下位のＢＴＳ１とＢＴＳ２に伝達する。(ａ)過程でＢＴＳ２は放送サービスのためのＢＳＣとの物理チャンネルを支援していないので、放送データの受信が不可能であり、それにより端末に放送データを伝送しない。一方、(ｂ)過程でＢＴＳ１はＢＳＣから受信した放送データを端末に伝達する。 
【００５１】
(ｃ)過程で、ＢＴＳ１は呼出しチャンネル(Paging channel)などを通じてオーバヘッドメッセージのＢＳＰＭを前記端末に伝送する。前述したように、ＢＳＰＭは放送サービスの提供を受けるために必要なオーバヘッド情報と共にＮＧＨＢＲ_ＨＳＢＳ_ＣＯＮＦＩＧフィールド内に周辺ＢＴＳに対する構成情報を含んでいる。(ｄ)過程でＢＳＰＭでいずれの一つの周辺ＢＴＳに該当するＮＧＨＢＲ_ＨＳＢＳ_ＣＯＮＦＩＧフィールドが‘１００’または‘１０１’に設定されている場合、端末は周辺ＢＴＳの放送サービスの開始を要求するために、ＢＴＳ１にＨＳＢＳ登録を要求するメッセージをすぐ伝送する。ここで、ＨＳＢＳ登録メッセージはＢＴＳ１の周辺基地局に対して放送サービスの開始を要求する情報を含む。このＨＳＢＳ登録メッセージを受信したＢＴＳ１は登録メッセージをＢＳＣに伝達する。 
【００５２】
(ｅ)過程で、ＨＳＢＳ登録メッセージを受信したＢＳＣが放送サービスのための物理チャンネルを開けるためにＢＴＳ１の周辺基地局、ここではＢＴＳ２にＡｂｉｓ-Ｓｅｔｕｐメッセージを伝送する。すると、(ｆ)過程でＢＴＳ２はＡｂｉｓ-Ｓｅｔｕｐメッセージに対する応答でＢＳＣにＡｂｉｓ-Ｃｏｎｎｅｃｔ  Ｃｏｍｐｌｅｔｅメッセージを伝送する。(ｅ)過程と(ｆ)過程で、ＢＳＣからＢＴＳ２に放送データを提供するためのチャンネルが形成される。 
【００５３】
(ｇ)過程で前記端末がＢＴＳ１から放送サービスのために更新されたＮＧＨＢＲ_ＨＳＢＳ_ＣＯＮＦＩＧフィールドを含むＢＳＰＭを受信する。ここで、ＢＴＳ２に対するＮＧＨＢＲ_ＨＳＢＳ_ＣＯＮＦＩＧフィールドは放送サービス中であることを示す値に設定される。(ｈ)過程では放送サービスのために新たに更新された物理チャンネルを設定したＢＴＳ２がＢＳＣから受けた放送データを端末に伝送する。同様に、(ｊ)過程でＢＴＳ１は以前と同一にＢＳＣから提供を受ける放送データを端末に伝送する。これにより、端末は周辺ＢＴＳ、ここではＢＴＳ２領域でも放送サービスの提供を受けるようになる。 
【００５４】
以下、図６及び図７の手続きによるそれぞれの単位システムの動作を図８Ａ〜図８Ｃを参照して説明する。すなわち、図８Ａは端末の遂行手続きを、図８Ｂは最初のＢＴＳ(サービスＢＴＳ)の遂行手続きを、図８Ｃは周辺ＢＴＳの遂行手続きをそれぞれ示すものである。 
【００５５】
図８Ａに、本発明の他の実施形態によりＢＳＰＭを通じて高速放送サービスのための周辺構成情報を受信した端末で周辺ＢＴＳの放送サービスを開始するためにサービスＢＴＳにＨＳＢＳ登録を試す手続きを示す。ここで、サービスＢＴＳとは端末が現在放送サービスの提供を受けるＢＴＳであることを意味する。ソフトハンドオフが可能でないＢＴＳでも該当放送サービスが可能な場合、端末の放送中断時間を最大限に短縮するために放送サービスの登録を試すことができる。 
【００５６】
図８Ａを参照すれば、端末は段階８００でサービスＢＴＳから放送サービス用パラメータメッセージ(ＢＳＰＭ)を受信し、段階８０５で受信したＢＳＰＭのＮＧＨＢＲ_ＨＳＢＳ_ＣＯＮＦＩＧフィールドが‘１００’あるいは‘１０１’で記録された周辺ＢＴＳが存在するかどうかを確認する。すなわち、ハンドオフが可能であるが、放送サービスのためのセッションをオープンされていない周辺ＢＴＳが存在するかどうかを確認する。もし、ＮＧＨＢＲ_ＨＳＢＳ_ＣＯＮＦＩＧフィールドが‘１００’及び‘１０１’の周辺ＢＴＳが存在しない場合、前記端末は継続してＢＳＰＭを受信するために段階８００に戻る。もし、ＮＧＨＢＲ_ＨＳＢＳ_ＣＯＮＦＩＧフィールドが‘１００’または‘１０１’のＢＴＳが存在する場合、端末は段階８１０に進行する。この段階８１０で端末は周辺ＢＴＳの放送サービスの開始を要求するためのＨＳＢＳ登録メッセージを生成し、段階８１５でサービスＢＴＳにＨＳＢＳ登録メッセージを伝送する。ここで、登録メッセージは周辺ＢＴＳに対する 放送サービスの開始を要求する情報を含む。 
【００５７】
図８Ｂは、本発明の他の実施形態によるＢＴＳ(以下、“サービスＢＴＳ”とする)で端末からのＨＳＢＳ登録メッセージを受信して処理するための手続きを示す。図８Ｂを参照すれば、サービスＢＴＳは段階８２０で端末が伝送したＨＳＢＳ登録メッセージを受信し、端末が周辺ＢＴＳの放送サービスの開始を要求することを認識する。すれば、サービスＢＴＳは段階８２５で周辺ＢＴＳに端末の放送サービス登録事実を通報してセッションのオープンを要求する。その後、サービスＢＴＳは段階８３０で周辺ＢＴＳからセッションオープンの応答を受信すれば、段階８３５で周辺ＢＴＳに対するＮＧＨＢＲ_ＨＳＢＳ_ＣＯＦＩＧ情報を放送サービス中であることを示す値に更新し、この更新された情報を含むＢＳＰＭを端末に伝送する。 
【００５８】
図８Ｃは、本発明の実施形態によりサービス基地局からセッションオープン要求を受信した周辺ＢＴＳで放送サービスを開始するための手続きを示す。 
【００５９】
図８Ｃを参照すれば、周辺ＢＴＳは段階８４０でサービスＢＴＳからセッションオープン要求を受信すれば、段階８４５で該当放送サービスを支援するためのセッションをオープンし、放送サービスを伝送するための物理的資源を割り当てた後、段階８５０でセッションオープン要求に対する応答を前記サービスＢＴＳに伝送する。その後、周辺ＢＴＳは段階８５５で割り当てられた物理的資源を通じて提供を受ける放送データを前記端末に伝送する。
【図面の簡単な説明】
【００６０】
【図１】本発明により高速放送サービスを支援するための全体網の構成を示す図。
【図２】本発明の一実施形態により高速放送サービスを支援する移動通信システムで端末のフィードバックにより新たなＢＳＣで放送サービスを開始するための手続きを示す図。
【図３】本発明の一実施形態により高速放送サービスを支援する移動通信システムで端末のフィードバックにより新たなＢＴＳで放送サービスを開始するための手続きを示す図。
【図４Ａ】本発明の一実施形態により高速放送サービス(ＨＳＢＳ)のための周辺構成情報を受信した端末でアイドルハンドオフ時に新たなＢＴＳに放送サービスの登録を試すための手続きを示す図。
【図４Ｂ】本発明の一実施形態によりＢＴＳで端末器により試す放送サービスの登録を処理するための手続きを示す図。
【図５Ａ】本発明の一実施形態による端末装置を示す図。
【図５Ｂ】本発明の一実施形態によるＢＴＳの装置を示す図。
【図６】本発明の他実施形態により高速放送サービスを支援する移動通信システムで端末のフィードバックにより周辺ＢＳＣで放送サービスを開始するための手続きを示す図。
【図７】本発明の他実施形態により高速放送サービスを支援する移動通信システムで端末のフィードバックにより周辺ＢＴＳで放送サービスを開始するための手続きを示す図。
【図８Ａ】本発明の他実施形態により高速放送サービスのための周辺構成情報を受信した端末で周辺ＢＴＳで放送サービス登録を試すための手続きを示す図。
【図８Ｂ】本発明の他実施形態による周辺ＢＴＳで端末により試す放送サービス登録を処理するための手続きを示す図。
【図８Ｃ】本発明の他実施形態による他のＢＴＳから放送サービスのためのセッションオープンの要求を受信したＢＴＳで放送サービスを開始するための手続きを示す図。
【図１】
2005518725.tif 000005
【図２】
2005518725.tif 000006
【図３】
2005518725.tif 000007
【図４ａ】
2005518725.tif 000008
【図４ｂ】
2005518725.tif 000009
【図５ａ】
2005518725.tif 000010
【図５ｂ】
2005518725.tif 000011
【図６】
2005518725.tif 000012
【図７】
2005518725.tif 000013
【図８ａ】
2005518725.tif 000014
【図８ｂ】
2005518725.tif 000015
【図８ｃ】
2005518725.tif 000016
【国際調査報告】
2005518725.tif 000017
2005518725.tif 000018